(57)【要約】【課題】両手を空けて子供を抱いたり背負ったりでき、かつ防寒用マントや雨避け用マントを着用させられるマント付き子供用ズボンを提供すること。【解決手段】マント付き子供用ズボン１においては、（ｂ）に示されるようにポケット３から引き出した肩掛けベルト７、股布地９、腰ベルト１０を保護者１５と子供１６が装着した状態で、（ａ）に示されるように上部には裏側に当て布２２が縫付けられ、中に止め紐２３が通されて、止め紐２３から上は子供の頭部を包む部分２０ａとなり、ギャザーを入れて頭部の丸みを出して、先端には腰のある材料からなる鍔２０ｂが縫付けられた子供用マント２０の下端を、ポケット上部ファスナー４ａ内に接着布１８で接着して、止め紐２３を子供１６の首に掛けて前で蝶結びをして止め、頭部を包む部分２０ａ及び鍔２０ｂは止め紐２３の部分で折り返している。【選択図】        図３
2005015959.tif 000002
【特許請求の範囲】
【請求項１】
子供用ズボン本体の後身頃に縫付けられたポケットと、
該ポケットの上端に沿って開閉自在に取付けられた上部開閉具と、
前記ポケットの下端に沿って開閉自在に取付けられた下部開閉具と、
前記ポケット内部の前記上部開閉具近傍に左右１対で取付けられた先端に接続具の一方を有する長さ調節機構付きの肩掛けベルトと、
前記ポケット内部の前記下部開閉具近傍に取付けられた子供の股を支える所定長さの股布地と、
該股布地の先端に中央部分が取付けられ、両端に１組の接続具の一方と他方それぞれを有し、前記肩掛けベルトの先端の接続具の一方に対応する位置に前記接続具の他方がそれぞれ取付けられた長さ調節機構付きの腰ベルトとを具備し、
前記ポケット内には子供用マントが収納されており、着用時には前記子供用マントを前記ポケット内から取り出し、前記子供用マントの下端部に取付けられている取付け具の一方を前記ポケットに取付けられている前記取付け具の他方に取付け、前記子供用マントを子供に被せて前記子供用マントの上部に取付けられている止め紐を子供の首に掛けて前で結んで止めることを特徴とするマント付き子供用ズボン。
【請求項２】
前記ポケットはフラップを有し、かつ、当該フラップが袋状になっており、前記フラップ上端に沿ってフラップ上部開閉具が開閉自在に取付けられ、前記フラップ下端に沿ってフラップ下部開閉具が開閉自在に取付けられて、
前記ポケットに子供用マントを収納する代わりに、前記フラップ内に子供用マントが収納されており、着用時には前記子供用マントを前記フラップ内から取り出し、前記子供用マントの下端部に取付けられている取付け具の一方を前記フラップ内に取付けられている前記取付け具の他方に取付け、前記子供用マントを子供に被せて前記子供用マントの上部に取付けられている止め紐を子供の首に掛けて前で結んで止めることを特徴とする請求項１に記載のマント付き子供用ズボン。
【請求項３】
前記子供用マントは前記止め紐よりさらに上方に伸びて子供の頭部を包む形状を成し、先端には腰のある材料からなる鍔が取付けられて帽子と一体化していることを特徴とする請求項１または請求項２に記載のマント付き子供用ズボン。
【請求項４】
前記ポケット内及び／または前記フラップ内には計２枚の子供用マントが収納されており、うち１枚は防寒用の生地からなり、もう１枚は防水用の生地からなるもので、気候に応じて使い分けることを特徴とする請求項１乃至請求項３のいずれか１つに記載のマント付き子供用ズボン。
【請求項５】
前記肩掛けベルト及び／または前記股布地が着脱可能に前記ポケット内に取付けられていることを特徴とする請求項１乃至請求項４のいずれか１つに記載のマント付き子供用ズボン。
【請求項６】
前記ポケットの前面の前記フラップの下に１または２以上の小ポケットを取付けたことを特徴とする請求項２乃至請求項５のいずれか１つに記載のマント付き子供用ズボン。
【請求項７】
前記ポケット内において、前記肩掛けベルトの収納部分と前記腰ベルト及び前記股布地の収納部分が区分されていることを特徴とする請求項１乃至請求項６のいずれか１つに記載のマント付き子供用ズボン。
【請求項８】
前記肩掛けベルト、前記腰ベルト及び前記股布地は前記子供用ズボン本体と同一の生地で作られていることを特徴とする請求項１乃至請求項７のいずれか１つに記載のマント付き子供用ズボン。
【請求項９】
前記１対の肩掛けベルトの保護者の肩に当る部分、前記ポケットの本体、及び前記股布地の中に緩衝材を入れたことを特徴とする請求項１乃至請求項８のいずれか１つに記載のマント付き子供用ズボン。
【請求項１０】
前記ポケットの全体を前記子供用ズボン本体の後身頃に着脱可能に取付けたことを特徴とする請求項１乃至請求項９のいずれか１つに記載のマント付き子供用ズボン。
【請求項１１】
前記上部開閉具と下部開閉具は、上下の別なく設けられたことを特徴とする請求項１乃至請求項１０のいずれか１つに記載のマント付き子供用ズボン。
【発明の詳細な説明】
【０００１】
【発明の属する技術分野】
本発明は、幼児等の子供を抱いたり背負ったりするためのベルトとともに子供用マントを備えた子供用ズボンに関するものであり、特に、抱いたり背負ったりしないときには通常の長ズボンまたは半ズボン、オーバーオール、サロペット等としてファッション性を低下させることのないマント付き子供用ズボンに関するものである。
【０００２】
【従来の技術】
【特許文献１】特開２００１−５５６０８号公報
上記特許文献１においては、格別専用の用具を持参する必要がなく、いつでも必要なときに両手を空けて子供を抱くことができ、かつ保護者のファッション性を低下させることのない子供ズボンにかかる発明について開示されている。この特許文献１に開示された発明においては、大きい機械的張力に耐えるウエスト部及び臀部位置を有する子供用ズボン本体と、子供用ズボン本体の右脚部と左脚部の股部の±１５ｃｍの範囲内に一端部を固着し、ウエスト部付近に他端を固着した１対のベルトとを具備している。
【０００３】
これによって、抱いたり背負ったりする用具を持参しなくても必要なときに子供ズボンに取付けてある１対のベルトを使用することによって、子供を抱いたり背負ったりすることができ、両手が自由になり、抱いたり背負ったりする用具を持ち歩く必要もないので、保護者のファッション性を低下させることもない。さらに、子供用ズボン本体に１対のベルトを収容する収容袋を取付けることによって、子供用ズボン本体の意匠性を低下させることがなく、もう歩ける幼児が着用している場合でも１対のベルトが幼児の歩行の妨げになることもない。
【０００４】
【発明が解決しようとする課題】
しかしながら、上記特許文献１に記載された子供ズボンにおいては、１対のベルトを子供用ズボン本体の前面に取付けているために、子供を抱いたときに保護者と接近しすぎて窮屈であり装着がし難く、また１対のベルトが子供用ズボン本体の下半身側に取付けられているために、上半身が不安定で子供も保護者も落ち着かず、子供が動くとずり落ちてしまう。さらに、抱いたり背負ったりした状態では、子供に防寒衣や雨避け衣を着せることができないという問題点があった。
【０００５】
そこで、本発明は、子供も保護者も楽にかつ安定して取付けられるベルトを具備するとともに、いつでも必要なときに両手を空けて子供を抱いたり背負ったりすることができ、かつ防寒用マントや雨避け用マントを着用させることができるマント付き子供用ズボンの提供を課題とするものである。
【０００６】
【課題を解決するための手段】
請求項１の発明にかかるマント付き子供用ズボンは、子供用ズボン本体の後身頃に縫付けられたポケットと、該ポケットの上端に沿って開閉自在に取付けられた上部開閉具と、前記ポケットの下端に沿って開閉自在に取付けられた下部開閉具と、前記ポケット内部の前記上部開閉具近傍に左右１対で取付けられた先端に接続具の一方を有する長さ調節機構付きの肩掛けベルトと、前記ポケット内部の前記下部開閉具近傍に取付けられた子供の股を支える所定長さの股布地と、該股布地の先端に中央部分が取付けられ、両端に１組の接続具の一方と他方それぞれを有し、前記肩掛けベルトの先端の接続具の一方に対応する位置に前記接続具の他方がそれぞれ取付けられた長さ調節機構付きの腰ベルトとを具備し、前記ポケット内には子供用マントが収納されており、着用時には前記子供用マントを前記ポケット内から取り出し、前記子供用マントの下端部に取付けられている取付け具の一方を前記ポケットに取付けられている前記取付け具の他方に取付け、前記子供用マントを子供に被せて前記子供用マントの上部に取付けられている止め紐を子供の首に掛けて前で結んで止めるものである。
【０００７】
ここで、「接続具」としては、スライドバックル、スライドループ、Ｄカン、ナスカン、セットフック等の金属製のもの或いは合成樹脂製のものがある。また、「長さ調節機構」としては、アジャスターバックル、スライドバックル、スライドループ等の金属製のもの或いは合成樹脂製のものがある。そして、「開閉具」としては、ファスナー、スナップボタン、ボタン、接着布等が使用される。さらに、「取付け具」としては、１組の接着布、ボタンとボタンホール、１組のドット釦、１組のスナップ、Ｄカンとナスカン等がある。
【０００８】
このように構成されたマント付き子供用ズボンにおいて、保護者が子供を抱いたり背負ったりするときには、まずポケットの上部開閉具と下部開閉具を全開にして肩掛けベルトと股布地及び腰ベルトとをそれぞれ上下から引き出し、股布地を子供の股下を通してから腰ベルトを保護者の腰回りに回して両端の接続具を接続し、腰ベルトを保護者の腰回りに装着する。それから、長さ調節機構によって腰ベルトの長さを保護者の腰回りに合わせて調節するが、この長さ調節は出かける前に予めやっておく方がより好ましい。続いて、１対の肩掛けベルトを子供の両脇の下を通して保護者の肩に掛け、肩掛けベルトの先端の接続具の一方を腰ベルトに設けられた接続具の他方に接続して、長さ調節機構によって肩掛けベルトの長さを調節するが、この長さ調節も出かける前に予めやっておく方がより好ましい。
【０００９】
こうして、子供を抱いたり背負ったりすることができるが、子供の背中側から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、抱いたり背負ったりした子供に防寒、雨避け等の目的でポケットから取り出した子供用マントを被せることができ、より一層便利なマント付き子供用ズボンとなる。
【００１０】
このようにして、子供も保護者も楽にかつ安定して取付けられるベルト類を具備するとともに、子供に防寒、雨避け等の目的で子供用マントを被せることができるマント付き子供用ズボンとなる。
【００１１】
請求項２の発明にかかるマント付き子供用ズボンは、請求項１の構成において、前記ポケットにフラップを有しており、前記フラップが袋状になっており、前記フラップ上端に沿ってフラップ上部開閉具が開閉自在に取付けられ、前記フラップ下端に沿ってフラップ下部開閉具が開閉自在に取付けられて、前記ポケットに子供用マントを収納する代わりに、前記フラップ内に子供用マントが収納されており、着用時には前記子供用マントを前記フラップ内から取り出し、前記子供用マントの下端部に取付けられている取付け具の一方を前記フラップ内に取付けられている前記取付け具の他方に取付け、前記子供用マントを子供に被せて前記子供用マントの上部に取付けられている止め紐を子供の首に掛けて前で結んで止めるものである。
【００１２】
ポケット内には、肩掛けベルトと股布地及びそれにつながる腰ベルトが収納されるため、子供用マントをもポケット内に収納すると、ベルト類をポケットの上下から引き出すときに一緒に出てきてしまう可能性がある。そこで、フラップを袋状にして上端と下端に開閉具を取付け、この中に子供用マントを収納すればかかる不都合を防止することができ、マントの着用も一層容易になる。また、肩掛けベルトと股布地及び腰ベルトをポケット内に収納し、子供用マントをフラップ内に収納して子供を歩かせている状態においては、後ろへ転んだときにクッション代わりになる。
【００１３】
このようにして、子供も保護者も楽にかつ安定して取付けられるベルトを具備するとともに、子供用マントを必要なときだけ確実に取り出すことができるマント付き子供用ズボンとなる。
【００１４】
請求項３の発明にかかるマント付き子供用ズボンは、請求項１または請求項２の構成において、前記子供用マントは前記止め紐よりさらに上方に伸びて子供の頭部を包む形状を成し、先端には腰のある材料からなる鍔が取付けられて帽子と一体化しているものである。
【００１５】
これによって、抱いたり背負ったりした子供に防寒、雨避け等の目的で子供用マントを被せることができるとともに、帽子も被せることができ、防寒、雨避け、日差し避け等の役割を果たして、より一層便利なマント付き子供用ズボンとなる。
【００１６】
このようにして、子供も保護者も楽にかつ安定して取付けられるベルトを具備するとともに、子供に防寒、雨避け、日差し避け等の目的で子供用マントとともに帽子をも被せることができるマント付き子供用ズボンとなる。
【００１７】
請求項４の発明にかかるマント付き子供用ズボンは、請求項１乃至請求項３のうちいずれか１つの構成において、前記ポケット内及び／または前記フラップ内には計２枚の子供用マントが収納されており、うち１枚は防寒用の生地からなり、もう１枚は防水用の生地からなるもので、気候に応じて使い分けるものである。
【００１８】
これによって、冬季等の防寒のためには防寒用の生地からなる子供用マントを取り出して装着することができ、雨天時の雨避けや日差しの強い日の日差し避けには防水用の生地からなる子供用マントを取り出して装着することができるので、子供用マントの使用目的に応じて最適な生地のマントを使い分けることができ、より実用的なマント付き子供用ズボンとなる。
【００１９】
請求項５の発明にかかるマント付き子供用ズボンは、請求項１乃至請求項４のいずれか１つの構成において、前記肩掛けベルト及び／または前記股布地が着脱可能に前記ポケット内に取付けられているものである。
【００２０】
肩掛けベルトまたは股布地とそれにつながる腰ベルト、またはその両方をポケットから着脱可能とすることによって、洗濯するときに子供用ズボン本体とベルト類とを別々に洗濯することができるので、非常に楽である。また、肩掛けベルト及び股布地とそれにつながる腰ベルトを全て外してしまえば、ポケットの中に空間ができるので、リュックサックとして使用することができ、外出時にタオル・ハンカチ・ティッシュペーパー等を入れて、子供に背負わせて歩かせることができる。
【００２１】
このようにして、子供も保護者も楽にかつ安定して取付けられるベルトを具備するとともに、洗濯するときに子供用ズボン本体とベルト類とを別々に洗濯することができ、またベルト類を全て取外すことによってリュックサックとしても使用できるマント付き子供用ズボンとなる。
【００２２】
請求項６の発明にかかるマント付き子供用ズボンは、請求項１乃至請求項５のうちいずれか１つの構成において、前記ポケットの前面の前記フラップの下に１または２以上の小ポケットを取付けたものである。
【００２３】
通常時、ポケットの中にはベルト類が収納されているので、小物入れとしても使い難い。しかし、このように小ポケットを取付けることによって、ちょっとした小物（ハンカチ、ティッシュペーパー、菓子等）を入れることができて便利であり、さらに小ポケットを本体ポケットと同じような形にすれば、ポケットのフラップを開けたときにおまけが付いているようで、可愛らしさがあってファッション性が向上する。
【００２４】
このようにして、子供も保護者も楽にかつ安定して取付けられるベルトを具備するとともに、小物入れとしても便利でファッション性が高いマント付き子供用ズボンとなる。
【００２５】
請求項７の発明にかかるマント付き子供用ズボンは、請求項１乃至請求項６のいずれか１つの構成において、前記ポケット内において、前記肩掛けベルトの収納部分と前記腰ベルト及び前記股布地の収納部分が区分されているものである。
【００２６】
ポケット内を区分しておかないと、肩掛けベルトと腰ベルトが絡まってしまって引き出すのが困難になる恐れがあり、また肩掛けベルトと腰ベルトとして使用しているときに、開いている上部開閉具から空のポケット内に物を入れようとすると、下部開閉具も開いているため物が落ちてしまう。
【００２７】
しかし、このように、ポケット内の上部開閉具から入れる部分と下部開閉具から入れる部分が区分されていれば、肩掛けベルトと腰ベルトが絡まることもなくスムーズに別々に引き出すことができ、また肩掛けベルトと腰ベルトとして使用しているときに、開いている上部開閉具から空のポケット内に物を入れても落ちる心配はない。
【００２８】
このようにして、子供も保護者も楽にかつ安定して取付けられるベルトを具備するとともに、肩掛けベルトと腰ベルトをスムーズに別々に引き出すことができ、空のポケット内に物を入れることができるマント付き子供用ズボンとなる。
【００２９】
請求項８の発明にかかるマント付き子供用ズボンは、請求項１乃至請求項７のいずれか１つの構成において、前記肩掛けベルト、前記腰ベルト及び前記股布地は前記子供用ズボン本体と同一の生地で作られているものである。
【００３０】
これによって、肩掛けベルト、腰ベルトの使用中においても、子供用ズボン本体と一体化して見られるため、子供のファッション性を損なうことがない。
【００３１】
このようにして、子供も保護者も楽にかつ安定して取付けられるベルトを具備するとともに、子供のファッション性を損なうことがないマント付き子供用ズボンとなる。
【００３２】
請求項９の発明にかかるマント付き子供用ズボンは、請求項１乃至請求項８のいずれか１つの構成において、前記１対の肩掛けベルトの保護者の肩に当る部分、前記ポケットの本体、及び前記股布地の中に緩衝材を入れたものである。
【００３３】
ここで、「緩衝材」としては、ドミット芯（キルティングの中身）やウレタンフォーム等がある。
【００３４】
１対の肩掛けベルトには、保護者が子供を抱いたり背負ったりするときに肩の部分に荷重が掛かり、ポケットの本体には子供の臀部が当り、股布地には子供の股が当るため、中にドミット芯やウレタンフォームのような緩衝材を入れることによって当りを柔らかくして局部的に圧迫されることがないようにしたものである。
【００３５】
このようにして、子供も保護者も楽にかつ安定して取付けられるベルトを具備するとともに、保護者も子供も局部的に圧迫されることがないマント付き子供用ズボンとなる。
【００３６】
請求項１０の発明にかかるマント付き子供用ズボンは、請求項１乃至請求項９のいずれか１つの構成において、前記ポケットの全体を前記子供用ズボン本体の後身頃に着脱可能に取付けたものである。
【００３７】
これによって、洗濯する場合にはポケット全体を外して子供用ズボン本体のみを洗うことができ、またポケットとベルト類とも着脱可能にしておけば、ポケットとベルト類をも別々に洗濯することができ、洗濯が非常に楽になる。そして、ポケット全体を子供用ズボン本体の後身頃に取付ける方法としては、例えばファスナーで全周またはその大部分を取付けるようにすれば、ポケットを直接子供用ズボン本体の後身頃に縫付けたのと遜色のない強度が得られる。
【００３８】
さらに、本発明が対象とする子供（乳児から幼児）の体の大きさは急速に大きくなって行くので、ベルト類及びマント付き子供用ズボンの大きさも多種類を用意しておかなければならないが、ポケットの全体を子供用ズボン本体の後身頃に着脱可能にすれば、ベルト類及びマント付きポケットは１つで済み、子供用ズボン本体の後身頃にファスナー等の着脱具を取付けただけのものを大きさを変えて取り揃えれば良いので、全体として低コスト化を図ることができる。
【００３９】
このようにして、子供も保護者も楽にかつ安定して取付けられるベルトを具備するとともに、洗濯が非常に楽にでき、子供の成長に合わせてポケットを付け替えることができるマント付き子供用ズボンとなる。
【００４０】
請求項１１の発明にかかるマント付き子供用ズボンは、請求項１乃至請求項１０のいずれか１つの構成において、前記上部開閉具と下部開閉具は、上下の別なく設けられたものである。
【００４１】
前記上部開閉具と下部開閉具は、引き出すのが容易なように、上下に設けたものであるが、前記上部開閉具と下部開閉具は、上下の別なくコ字状に、或いは左右に、或いはさらに複数箇所に分割してファスナー、スナップボタン、ボタン、接着布等で開閉自在に構成することができる。
【００４２】
【発明の実施の形態】
以下、本発明の実施の形態について、図面を参照して説明する。以下の実施の形態では、本発明を乳幼児に適用した場合について説明するが、本発明を実施する場合は乳幼児に限定されるものではなく、抱いたり背負ったりする必要が生ずる子供一般に適用できるものである。
【００４３】
実施の形態１
まず、本発明の実施の形態１について、図１乃至図３を参照して説明する。図１は本発明の実施の形態１にかかるマント付き子供用ズボンのベルト類及び子供用マントをポケット内に収納した状態を示す背面図である。図２は本発明の実施の形態１にかかるマント付き子供用ズボンのベルト類をポケットから出して伸ばした状態を示す説明図である。図３（ａ）は本発明の実施の形態１にかかるマント付き子供用ズボンの子供用マントのみをポケット内から取り出して下端を取付け具によってポケットに取付けた状態を示す背面図、（ｂ）は本発明の実施の形態１にかかるマント付き子供用ズボンを用いて幼児を抱いて子供用マントを装着した状態を示す斜視図である。
【００４４】
図１に示されるように、本実施の形態１にかかるマント付き子供用ズボン１は、デニム生地からなるオーバーオールの子供用ズボン本体２の後身頃に、同じくデニム生地からなるフラップ３ａ付きのポケット３を縫付けて、ポケット３の上端に沿って開閉自在の上部開閉具としての上部ファスナー４ａを取付け、ポケット３の下端に沿って同じく開閉自在の下部開閉具としての下部ファスナー４ｂを取付けたものである。但し、ポケット３のフラップ３ａを開いても、ポケット３の内部にはつながっていないダミーのフラップ３ａである。
【００４５】
ここで、このフラップ３ａもマチが付いて内部が袋状になっており、フラップ３ａの上端に沿って開閉自在のフラップ上部開閉具としてのフラップ上部ファスナー５ａが取付けられており、フラップ３ａの下端に沿って同じく開閉自在のフラップ下部開閉具としてのフラップ下部ファスナー５ｂが取付けられている。ポケット３の内部にもフラップ３ａの内部にも子供用マントを収納することができるが、本実施の形態１においては、ポケット３の内部に１枚の子供用マントを収納した場合について説明する。
【００４６】
図２に示されるように、ポケット３の中には、補強布６が縫付けられて、その上から上部ファスナー４ａ近傍に左右１対の肩掛けベルト７が縫付けられている。この肩掛けベルト７はやはりデニム生地製で、途中に長さ調節機構としてのアジャスターバックル７ａが取付けられ、先端には接続具としてのプラスティックバックルの一方（凸側）８ａが取付けられている。一方、下部ファスナー４ｂの近傍には、やはりデニム生地製の子供の股下を支える股布地９が縫付けられ、この股布地９の先端には、やはりデニム生地製の腰ベルト１０の中央部分が縫付けられている。
【００４７】
この腰ベルト１０の両端には、接続具としてのプラスティックバックルの一方（凸側）８ａと他方（凹側）８ｂがそれぞれ取付けられており、途中には長さ調節機構としてのアジャスターバックル１０ａが２箇所に取付けられている。さらに、股布地９を子供の股下を通して腰ベルト１０を保護者の腰に装着したとき、１対の肩掛けベルト７の先端に取付けられたプラスティックバックルの一方（凸側）８ａが接続される２箇所に、プラスティックバックルの他方（凹側）８ｂがそれぞれ取付けられている。
【００４８】
なお、保護者の肩に荷重が掛かる１対の肩掛けベルト７、子供の股下部分を支える股布地９、及び子供の臀部が当るポケット３本体の内部には、当りを良くするためにドミット芯が入れられている。
【００４９】
かかる構造を有する本実施の形態１のマント付き子供用ズボン１において、ポケット３の内部から子供用マント２０を引き出して装着した状態が図３（ａ）の背面図に示されている。ポケット上部ファスナー４ａを開けたすぐ下の中央部分には、ポケット３の背面側（ベルト類７，９が縫付けられているのと反対側）に取付け具としての接着布１８の軟らかい側が直角二等辺三角形の形状に縫付けられており、ポケット下部ファスナー４ｂを開けたすぐ上の中央部分には、やはりポケット３の背面側に取付け具としての図示しない接着布の軟らかい側が直角二等辺三角形の形状に縫付けられている。
【００５０】
ポケット３の中には１枚の子供用マント２０が収納されており、この子供用マント２０は防寒用でキルティング生地からなる。子供用マント２０の上部には裏側に当て布２２が縫付けられており、その中に止め紐２３が通されていて、中間点２３ａにおいて抜けないように縫付けられている。子供用マント２０の上部の止め紐２３から上は子供の頭部を包む部分２０ａとなっており、ギャザーを入れて頭部の丸みを出しており、頭部を包む部分２０ａの先端には腰のある材料（透明なビニル系樹脂、重ねたレース、メッシュ、レザー等）からなる鍔２０ｂが縫付けられている。
【００５１】
そして、子供用マント２０の下端表側には、直角二等辺三角形の接着布１８の硬い側が縫付けられており、ポケット上部ファスナー４ａを全開にした状態でポケット３内の背面側に縫付けられている同一形状の接着布１８の軟らかい側に接着することによって、子供用マント２０がポケット３に取付けられる。
【００５２】
このようにして取付けられた子供用マント２０（防寒用）を実際に子供に着用させた状態が、図３（ｂ）に示されている。ポケット３から引き出した肩掛けベルト７、股布地９、腰ベルト１０を保護者１５と子供１６が装着した状態で、子供用マント２０の下端をポケット上部ファスナー４ａ内に接着布１８で接着して、止め紐２３を子供１６の首に掛けて前で蝶結びをして止め、頭部を包む部分２０ａ及び鍔２０ｂは止め紐２３の部分で折り返している。子供用マント２０には相当の弛みができるので、子供１６の上半身の前方まで包むことができる。
【００５３】
このようにして、本実施の形態１のマント付き子供用ズボン１においては、子供１６も保護者１５も楽にかつ安定して取付けられるベルト類７，９，１０を子供用ズボン本体２の背中のポケット３内に具備して、いつでも必要なときに両手を空けて子供１６を抱いたり背負ったりすることができ、かつ子供用ズボン本体２もポケット３もベルト類７，９，１０もデニム生地で製造されているため、保護者のファッション性をも子供のファッション性をも低下させることがない。
【００５４】
また、荷重の掛かる肩掛けベルト７、股布地９、ポケット３本体の中にはドミット芯を入れて緩衝作用を持たせてあるので、長時間装着しても保護者も子供も局部が圧迫されて痛くなることがない。そして、子供１６を抱いた状態でもポケット３内に収納されている子供用マント２０を取り出して接着布１８でポケット３内に下端を固定し、上部の止め紐２３で子供１６に着用させることができる。
【００５５】
このように、本実施の形態１のマント付き子供用ズボン１は、いつでも必要なときに保護者１５が両手を空けて子供１６を抱いたり背負ったりすることができるとともに、防寒用マント２０や雨避け用マントを着用させることができる。
【００５６】
実施の形態２
次に、本発明の実施の形態２について、図４を参照して説明する。図４（ａ）は本発明の実施の形態２にかかるマント付き子供用ズボンのポケットのフラップに取付ける子供用マントを開いて示した背面図、（ｂ）は本発明の実施の形態２にかかるマント付き子供用ズボンを用いて幼児を抱いて子供用マントを装着した状態を示す斜視図である。
【００５７】
図４（ａ）に示されるように、本実施の形態２にかかるマント付き子供用ズボン１１においては、ポケット３のフラップ３ａ内に撥水性のポリエステル生地からなる雨避け用マント２５を収納しており、フラップ下部ファスナー５ｂを開けたすぐ上の中央部分には、やはりフラップ３ａ内部のポケット３側に取付け具としての直角二等辺三角形の接着布１９の軟らかい側が縫付けられている。
【００５８】
子供用マント２５の上部には裏側に当て布２７が縫付けられており、その中に止め紐２６が通されていて、中間点２６ａにおいて抜けないように縫付けられている。子供用マント２５の上部の止め紐２６から上は子供の頭部を包む部分２５ａとなっており、ギャザーを入れて頭部の丸みを出しており、頭部を包む部分２５ａの先端には腰のある材料（透明なビニル系樹脂、重ねたレース、メッシュ、レザー等）からなる鍔２５ｂが縫付けられている。
【００５９】
そして、子供用マント２５の下端表側には、直角二等辺三角形の接着布１９の硬い側が縫付けられており、フラップ下部ファスナー５ｂを全開にした状態でフラップ３ａ内部のポケット３側に縫付けられている同一形状の接着布１９の軟らかい側に接着することによって、子供用マント２５がポケット３のフラップ３ａに取付けられる。
【００６０】
このようにして取付けられた子供用マント２５（雨避け用）を実際に子供に着用させた状態が、図４（ｂ）に示されている。ポケット３から引き出した肩掛けベルト７、股布地９、腰ベルト１０を保護者１５と子供１６が装着した状態で、子供用マント２５の下端をフラップ３ａ内に接着布１９で接着して、止め紐２６を子供１６の首に掛けて前で蝶結びをして止め、頭部を包む部分２５ａ及び鍔２５ｂを子供１６の頭に被せている。保護者１５は両手が自由なので、片手に荷物を持っていてももう一方の手で傘を差すことができ、さらに子供用マント２５を着用させることによって、子供１６を完全に雨から守ることができる。
【００６１】
このようにして、本実施の形態２のマント付き子供用ズボン１１は、いつでも必要なときに保護者１５が両手を空けて子供１６を抱いたり背負ったりすることができるとともに、子供１６を抱いた状態でもフラップ３ａ内に収納されている子供用マント（雨避け用マント）２５を取り出して接着布１９でフラップ３ａ内に下端を固定し、上部の止め紐２６で子供１６に着用させることができ、頭部も子供用マント２５と一体化した帽子２５ａ，２５ｂで守ることができる。
【００６２】
実施の形態３
次に、本発明の実施の形態３について、図５を参照して説明する。図５は本発明の実施の形態３にかかるマント付き子供用ズボンのポケット及びフラップに取付ける２枚の子供用マントを開いて示した背面図である。
【００６３】
本実施の形態３にかかるマント付き子供用ズボン２１においても、ベルト類７，９，１０の取付け方と装着の仕方は実施の形態１のマント付き子供用ズボン１と同様である。異なるのは、図５に示されるようにポケット３及びフラップ３ａ内に各１枚ずつの子供用マント３０，３５を収納している点である。うち１枚の子供用マント３０は防寒用で、キルティング生地からなり、もう１枚の子供用マント３５は雨避け用で、撥水性のポリエステル生地で作られている。子供用マント３０の上部には裏側に当て布３２が縫付けられており、その中に止め紐３３が通されていて、中間点３３ａにおいて抜けないように縫付けられている。子供用マント３５の上部にも一部図示省略されているが、同様にして止め紐３６が取付けられている。
【００６４】
子供用マント３０の上部の止め紐３３から上は子供の頭部を包む部分３０ａとなっており、ギャザーを入れて頭部の丸みを出しており、頭部を包む部分３０ａの先端には腰のある材料（透明なビニル系樹脂、重ねたレース、メッシュ、レザー等）からなる鍔３０ｂが縫付けられている。同様にして、子供用マント３５の上部にも腰のある材料からなる鍔３５ｂが縫付けられている。そして、子供用マント３０の下端表側には、直角二等辺三角形の接着布２８の硬い側が縫付けられており、ポケット上部ファスナー４ａを全開にした状態でポケット３内の背面側に縫付けられている同一形状の接着布２８の軟らかい側に接着することによって、子供用マント３０が子供用ズボン本体２に取付けられる。
【００６５】
子供用マント３５（雨避け用）の下端表側にも、直角二等辺三角形の接着布２９の硬い側が縫付けられており、フラップ下部ファスナー５ｂを全開にした状態で子供用マント３５の下端を折って、フラップ２ａ内のポケット３側に縫付けられている同一形状の接着布２９の軟らかい側に接着することによって、子供用マント３５が子供用ズボン本体２に取付けられる。
【００６６】
このようにして、本実施の形態３にかかるマント付き子供用ズボンにおいては、子供も保護者も楽にかつ安定して取付けられるベルト類７，９，１０を具備するとともに、生地の異なる２枚の子供用マント３０，３５をポケット３内及びフラップ２ａ内に収納しているので、天候に応じて子供用マント３０，３５を使い分けることができる。さらに、子供用マント３０，３５はいずれも下端表側に直角二等辺三角形の接着布の硬い側が縫付けられているので、必要に応じて図５とは逆に、子供用マント３０をフラップ２ａ内に取付けることもでき、子供用マント３５をポケット３内に取付けることもできる。
【００６７】
上記各実施の形態においては、子供用マントの下端をポケット３内またはフラップ２ａ内に取付ける例について説明したが、フラップ２ａの外側等、その他の箇所に取付けても良い。また、子供用マントを１枚の生地からなるものとして、裏側に当て布をして止め紐を通す例について説明したが、子供用マントを２枚の生地を合わせて製造してリバーシブルにすることもできる。この場合は、２枚の生地を上部で縫合せて、その中を止め紐を通すようにすれば良い。
【００６８】
さらに、上記各実施の形態においては、子供用マントを１枚ずつポケット３内またはフラップ２ａ内に収納する例について説明したが、その他にもフラップ２ａ内に２枚（２種類）の子供用マントを収納して１枚をフラップ上部ファスナー５ａの近傍に取付け、もう１枚をフラップ下部ファスナー５ｂの近傍に取付ける等、様々なバリエーションが可能である。
【００６９】
また、上記各実施の形態においては、止め紐の両端を単に括ってあるだけだが、市販のコードアジャスターを取付けて止め紐の長さを調節できるようにしても構わない。
【００７０】
さらに、上記各実施の形態においては、１対の肩掛けベルト７と股布地９をポケット３内の補強布６に縫付けて固定しているが、１対の肩掛けベルト７と股布地９をポケット３内に着脱可能に取付けても良い。即ち、上部ファスナー４ａの下方にプラスティックバックルの他方（凹側）８ｂが補強布６に縫付けられ、これに肩掛けベルト７の下端に取付けられたプラスティックバックルの一方（凸側）８ａが嵌合することによって、１対の肩掛けベルト７が上部ファスナー４ａの開口部を通してポケット３内に接続される。また、下部ファスナー４ｂの中央部上方には、同じくプラスティックバックルの他方（凹側）８ｂが補強布６に縫付けられ、これに股布地９の上端に取付けられたプラスティックバックルの一方（凸側）８ａが嵌合することによって、股布地９及び腰ベルト１０が下部ファスナー４ｂの開口部を通してポケット３内に接続される。
【００７１】
このように、肩掛けベルト７及び股布地９とそれにつながる腰ベルト１０をポケット３内から着脱可能とすることによって、洗濯するときに子供用ズボン本体２とベルト類７，９，１０とを別々に洗濯することができるので、非常に楽である。また、肩掛けベルト７及び股布地９とそれにつながる腰ベルト１０を全て外してしまえば、ポケット３の中に空間ができるので、リュックサックとして使用することができ、外出時にタオル・ハンカチ・ティッシュペーパー等を入れて、子供に背負わせて歩かせることができる。
【００７２】
また、上記各実施の形態においては、ベルト類７，９，１０が取付けられるポケット３を子供用ズボン本体２の後身頃に縫付けた例についてのみ説明したが、ポケット３の全体を子供用ズボン本体２の後身頃に着脱可能に取付けることもできる。これによって、洗濯する場合にはポケット３全体を外して子供用ズボン本体２のみを洗うことができ、またポケット３とベルト類７，９，１０とも着脱可能にしておけば、ポケット３とベルト類７，９，１０をも別々に洗濯することができ、洗濯が非常に楽になる。そして、ポケット３全体を子供用ズボン本体２の後身頃に取付ける方法としては、例えばファスナーで全周またはその大部分を取付けるようにすれば、ポケット３を直接子供用ズボン本体２の後身頃に縫付けたのと遜色のない強度が得られる。
【００７３】
さらに、本発明が対象とする子供（乳児から幼児）の体の大きさは急速に大きくなって行くので、ベルト類付きマント付き子供用ズボン１の大きさも多種類を用意しておかなければならないが、ポケット３の全体を子供用ズボン本体２の後身頃に着脱可能にすれば、ベルト類付きマント付きポケット３は１つで済み、子供用ズボン本体２の後身頃にファスナー等の着脱具を取付けただけのものを大きさを変えて取り揃えれば良いので、全体として低コスト化を図ることができる。
【００７４】
また、上記各実施の形態においては、ポケット３の背面に何も付けていないが、ポケット３のフラップ３ａの下に小ポケットを取付けることもできる。通常時、ポケット３の中にはベルト類７，９，１０が収納されているので、小物入れとしても使い難い。しかし、このように小ポケットを取付けることによって、ちょっとした小物（ハンカチ、ティッシュペーパー、菓子等）を入れることができて便利であり、そのままベルト類７，９，１０をポケット３から取り出して装着し、子供を抱きまたは背負うことができる。
【００７５】
また、上記各実施の形態においては、子供用ズボン本体２としてオーバーオールを使用した例について説明したが、他の子供用長ズボン、半ズボンにも適用できる。
【００７６】
さらに、上記各実施の形態においては、子供用ズボン本体２、ポケット３、肩掛けベルト７、股布地９、腰ベルト１０をいずれもデニム生地で揃えた例について説明したが、他の生地で揃えても良いし、全てを同じ生地にしなくても良い。例えば、肩掛けベルト７及び腰ベルト１０を自動車のシートベルトのようなより丈夫な生地で製造しても良い。
【００７７】
また、ポケット３に動物の顔等のデザインを施すと、オリジナル商品となり、付加価値が出る。さらに、ギャランティを支払って有名なキャラクターをデザインすれば値段は多少高くなるが注目を集めることができ、商品としての売れ行きが向上する。
【００７８】
マント付き子供用ズボンのその他の部分の構造、形状、数量、材質、大きさ、接続関係等についても、上記各実施の形態に限定されるものではない。
さらに、上記実施の形態のマント付き子供用ズボンは、上部開閉具４ａと下部開具４ｂは、ポケット３の上下に設けられたものであるが、本発明を実施する場合には、上下の別なく設けることができる。例えば、上部開閉具４ａと下部開閉具４ｂは、引き出すのが容易なように、上下に設けたものであるが、上部開閉具４ａと下部開閉具４ｂは、使用者の好みに応じて、上下の別なくコ字状、Ｃ字状、Ｏ字状に、或いは左右に、或いはさらに複数箇所に分割してファスナー、スナップボタン、ボタン、接着布等で開閉自在に構成することができる。
【００７９】
【発明の効果】
以上説明したように、請求項１の発明にかかるマント付き子供用ズボンは、子供用ズボン本体の後身頃に縫付けられたポケットと、ポケットの上部開閉具と下部開閉具と、ポケット内部の上部開閉具近傍に左右１対で取付けられた先端に接続具の一方を有する肩掛けベルトと、ポケット内部の下部開閉具近傍に取付けられた子供の股を支える股布地と、その先端に中央部分が取付けられ、両端に１組の接続具の一方と他方を有し、肩掛けベルトの先端の接続具の一方に対応する位置に接続具の他方がそれぞれ取付けられた腰ベルトとを具備し、ポケット内には子供用マントが収納されており、着用時には子供用マントの下端部の取付け具の一方をポケットの取付け具の他方に取付け、子供用マントを子供に被せて上部の止め紐を子供の首に掛けて前で結んで止めるものである。
【００８０】
このように構成されたマント付き子供用ズボンにおいて、保護者が子供を抱いたり背負うときは、ポケットの上部開閉具と下部開閉具を全開にして肩掛けベルトと股布地及び腰ベルトとを上下から引き出し、股布地を子供の股下を通してから腰ベルトを保護者の腰回りに回して両端の接続具を接続し保護者の腰回りに装着する。続いて、１対の肩掛けベルトを子供の両脇の下を通して保護者の肩に掛け、肩掛けベルトの先端の接続具の一方を腰ベルトに設けられた接続具の他方に接続する。こうして、子供を抱いたり背負ったりできるが、子供の背中側から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、抱いたり背負ったりした子供に防寒、雨避け等の目的でポケットから取り出した子供用マントを被せることができ、より一層便利なマント付き子供用ズボンとなる。
【００８１】
請求項２の発明にかかるマント付き子供用ズボンは、請求項１の構成において、ポケットにはフラップを有しており、当該フラップが袋状になっており上端に沿ってフラップ上部開閉具が取付けられ、下端に沿ってフラップ下部開閉具が取付けられて、ポケットに子供用マントを収納する代わりに、フラップ内に子供用マントが収納され、着用時には子供用マントをフラップ内から取り出し、子供用マントの下端部の取付け具の一方をフラップ内の取付け具の他方に取付け、子供用マントを子供に被せて上部の止め紐を子供の首に掛けて前で結んで止めるものである。
【００８２】
ポケット内には、肩掛けベルトと股布地及びそれにつながる腰ベルトが収納されるため、子供用マントをもポケット内に収納すると、ベルト類をポケットの上下から引き出すときに一緒に出てきてしまう可能性がある。そこで、フラップを袋状にして上端と下端に開閉具を取付け、この中に子供用マントを収納すればかかる不都合を防止することができ、マントの着用も一層容易になる。また、ベルト類をポケット内に収納し、子供用マントをフラップ内に収納して子供を歩かせている状態においては、後ろへ転んだときにクッション代わりになる。
【００８３】
請求項３の発明にかかるマント付き子供用ズボンは、請求項１または請求項２の構成において、子供用マントは止め紐よりさらに上方に伸びて子供の頭部を包む形状を成し、先端には腰のある材料からなる鍔が取付けられて帽子と一体化しているものである。
【００８４】
これによって、抱いたり背負ったりした子供に防寒、雨避け等の目的で子供用マントを被せられるとともに、帽子も被せることができ、防寒、雨避け、日差し避け等の役割を果たして、より一層便利なマント付き子供用ズボンとなる。
【００８５】
請求項４の発明にかかるマント付き子供用ズボンは、請求項１乃至請求項３のうちいずれか１つの構成において、ポケット内及び／またはフラップ内には計２枚の子供用マントが収納されており、うち１枚は防寒用の生地からなり、もう１枚は防水用の生地からなるもので、気候に応じて使い分けるものである。
【００８６】
これによって、冬季等の防寒のためには防寒用の生地からなる子供用マントを取り出して装着することができ、雨天時の雨避けや日差しの強い日の日差し避けには防水用の生地からなる子供用マントを取り出して装着することができるので、子供用マントの使用目的に応じて最適な生地のマントを使い分けることができ、より実用的なマント付き子供用ズボンとなる。
【００８７】
請求項５の発明にかかるマント付き子供用ズボンは、請求項１乃至請求項４のいずれか１つの構成において、前記肩掛けベルト及び／または前記股布地が着脱可能に前記ポケット内に取付けられているものである。
【００８８】
肩掛けベルトまたは股布地とそれにつながる腰ベルト、またはその両方をポケットから着脱可能とすることによって、子供用ズボン本体とベルト類とを別々に洗濯することができるので、非常に楽である。また、肩掛けベルト及び股布地とそれにつながる腰ベルトを全て外してしまえば、ポケットの中に空間ができるので、リュックサックとして使用することができ、外出時にタオル・ハンカチ・ティッシュペーパー等を入れて、子供に背負わせて歩かせることができる。
【００８９】
請求項６の発明にかかるマント付き子供用ズボンは、請求項１乃至請求項５のうちいずれか１つの構成において、ポケットの前面のフラップの下に１または２以上の小ポケットを取付けたものである。
【００９０】
このように小ポケットを取付けることによって、ちょっとした小物を入れることができて便利であり、さらに小ポケットを本体ポケットと同じような形にすれば、ポケットのフラップを開けたときにおまけが付いているようで、可愛らしさがあってファッション性が向上する。
【００９１】
請求項７の発明にかかるマント付き子供用ズボンは、請求項１乃至請求項６のいずれか１つの構成において、ポケット内において、肩掛けベルトの収納部分と腰ベルト及び股布地の収納部分が区分されているものである。
【００９２】
このように、ポケット内の上部開閉具から入れる部分と下部開閉具から入れる部分が区分されていれば、肩掛けベルトと腰ベルトが絡まることもなくスムーズに別々に引き出せて、また肩掛けベルトと腰ベルトとして使用しているときに、開いている上部開閉具からポケット内に物を入れても落ちる心配はない。
【００９３】
請求項８の発明にかかるマント付き子供用ズボンは、請求項１乃至請求項７のいずれか１つの構成において、前記肩掛けベルト、前記腰ベルト及び前記股布地は前記子供用ズボン本体と同一の生地で作られているものである。
【００９４】
これによって、肩掛けベルト、腰ベルトの使用中においても、子供用ズボン本体と一体化して見られるため、子供のファッション性を損なうことがない。
【００９５】
請求項９の発明にかかるマント付き子供用ズボンは、請求項１乃至請求項８のいずれか１つの構成において、前記１対の肩掛けベルトの保護者の肩に当る部分、前記ポケットの本体、及び前記股布地の中に緩衝材を入れたものである。
【００９６】
１対の肩掛けベルトには、保護者が子供を抱いたり背負ったりするときに肩の部分に荷重が掛かり、ポケットの本体には子供の臀部が当り、股布地には子供の股が当るため、中にドミット芯やウレタンフォームのような緩衝材を入れることで当りを柔らかくして局部的に圧迫されることがないようにしたものである。
【００９７】
請求項１０の発明にかかるマント付き子供用ズボンは、請求項１乃至請求項９のいずれか１つの構成において、前記ポケットの全体を前記子供用ズボン本体の後身頃に着脱可能に取付けたものである。
【００９８】
これによって、洗濯する場合にはポケット全体を外して子供用ズボン本体のみを洗うことができ、またポケットとベルト類とも着脱可能にしておけば、ポケットとベルト類をも別々に洗濯することができ、洗濯が非常に楽になる。さらに、本発明が対象とする子供（乳児から幼児）の体の大きさは急速に大きくなって行くので、ベルト類及びマント付き子供用ズボンの大きさも多種類を用意しておかなければならないが、ポケットの全体を子供用ズボン本体の後身頃に着脱可能にすれば、ベルト類及びマント付きポケットは１つで済み、子供用ズボン本体の後身頃にファスナー等の着脱具を取付けただけのものを大きさを変えて取り揃えれば良いので、全体として低コスト化を図ることができる。
【００９９】
請求項１１の発明にかかるマント付き子供用ズボンは、請求項１乃至請求項１０のいずれか１つの構成において、前記上部開閉具と下部開閉具は、上下の別なく設けられたものであるから、利用者の好みに合致したデザインが可能となる。
【図面の簡単な説明】
【図１】図１は本発明の実施の形態１にかかるマント付き子供用ズボンのベルト類及び子供用マントをポケット内に収納した状態を示す背面図である。
【図２】図２は本発明の実施の形態１にかかるマント付き子供用ズボンのベルト類をポケットから出して伸ばした状態を示す説明図である。
【図３】図３（ａ）は本発明の実施の形態１にかかるマント付き子供用ズボンの子供用マントのみをポケット内から取り出して下端を取付け具によってポケットに取付けた状態を示す背面図、（ｂ）は本発明の実施の形態１にかかるマント付き子供用ズボンを用いて幼児を抱いて子供用マントを装着した状態を示す斜視図である。
【図４】図４（ａ）は本発明の実施の形態２にかかるマント付き子供用ズボンのポケットのフラップに取付ける子供用マントを開いて示した背面図、（ｂ）は本発明の実施の形態２にかかるマント付き子供用ズボンを用いて幼児を抱いて子供用マントを装着した状態を示す斜視図である。
【図５】図５は本発明の実施の形態３にかかるマント付き子供用ズボンのポケット及びフラップに取付ける２枚の子供用マントを開いて示した背面図である。
【符号の説明】
１，１１，２１  マント付き子供用ズボン
２  子供用ズボン本体
３  ポケット
３ａ  フラップ
４ａ  上部開閉具
４ｂ  下部開閉具
５ａ  フラップ上部開閉具
５ｂ  フラップ下部開閉具
７  肩掛けベルト
７ａ，１０ａ  長さ調節機構
８ａ  接続具の一方
８ｂ  接続具の他方
９  股布地
１０  腰ベルト
１５  保護者
１６  子供
１８，１９，２８，２９  取付け具
２０，２５，３０，３５  子供用マント
２０ｂ，２５ｂ，３０ｂ，３５ｂ  鍔
２３，２６，３３，３６  止め紐
【図１】
2005015959.tif 000003
【図２】
2005015959.tif 000004
【図３】
2005015959.tif 000005
【図４】
2005015959.tif 000006
【図５】
2005015959.tif 000007